(57)【要約】【課題】大型化を抑制した電流センサの提供。【解決手段】バスバー（１）と、バスバー（１）に配置されたセンサ素子（２）とを備える電流センサ（１０）である。バスバー（１）は、センサ素子（２）を挟む一対のスリット（１ａ）を有する。一対のスリット（１ａ）は、センサ素子（２）の外方へ張り出る弧線上に形成される。このような構成によれば、測定精度の低下を抑制して、ケースを必要とすることなく、大型化を抑制することができる。【選択図】図１
2016070904.tif 000002
【特許請求の範囲】
【請求項１】
バスバーと、前記バスバーに配置されたセンサ素子とを備える電流センサであって、
前記バスバーは、前記センサ素子を挟む一対のスリットを有し、
前記一対のスリットは、前記センサ素子の外方へ張り出る弧線上に形成される電流センサ。
【発明の詳細な説明】
【技術分野】
【０００１】
本発明は電流センサに関する。
【背景技術】
【０００２】
センサ素子とバスバーとを含む電流センサが利用されている。このような従来技術の電流センサとして、図５に示す電流センサ９０がある。電流センサ９０は、バスバー９１と、センサ素子９２と、センサ素子９３とを含む。
【０００３】
センサ素子９２は、その感磁方向がバスバー９１の長手方向（ここで、図５中のＹ方向）に関して垂直な方向（ここで、図５中のＸ方向）に沿うように、バスバー９１の主面上に配置されている。一方、センサ素子９３は、センサ素子９２と比較して、その感磁方向がずれて配置されている。具体的には、その感磁方向は、バスバー９１の主面（ここで、図５中のＸＹ平面）に関して垂直な仮想線を軸とした回転方向にずれている。センサ素子９３のずれの要因は、例えば、センサ素子９３をバスバー９１に実装する際に生じるバラツキである。
【０００４】
ここで、電流をバスバー９１にＹ方向に流すと、バスバー９１の表面では、Ｘ方向の磁界が発生している。センサ素子９２は、その感磁方向が磁界の向きと平行になるように配置されているため、高い感度で測定し、良好な測定精度を有する。一方、センサ素子９３は、その感磁方向が磁界の向きとずれている。そのため、センサ素子９３は、センサ素子９２と比較して、感度が低く、測定精度も低い。
【０００５】
そこで、例えば、特許文献１では、センサ素子とバスバーとを樹脂ケースに嵌め込んだ電流センサが開示されている。センサ素子がバスバーに対して位置ずれしなくなるため、測定精度の低下を抑制することができる。
【先行技術文献】
【特許文献】
【０００６】
【特許文献１】特開２０１４−０１００７５号公報
【発明の概要】
【発明が解決しようとする課題】
【０００７】
しかしながら、特許文献１に開示される電流センサでは、ケースを設置するスペースを必要とし、大型化することがあった。
【０００８】
そこで、上記の事情を背景としてなされたものであり、大型化を抑制した電流センサを提供することを目的とする。
【課題を解決するための手段】
【０００９】
本発明にかかる電流センサは、
バスバーと、前記バスバーに配置されたセンサ素子とを備える電流センサであって、
前記バスバーは、前記センサ素子を挟む一対のスリットを有し、
前記一対のスリットは、前記センサ素子の外方へ張り出る弧線上に形成される。
【００１０】
このような構成によれば、ケースを必要とすることなく、測定精度の低下を抑制して、大型化を抑制することができる。
【発明の効果】
【００１１】
本発明によれば、大型化を抑制した電流センサを提供することができる。
【図面の簡単な説明】
【００１２】
【図１】実施の形態１にかかる電流センサの斜視図である。
【図２】実施の形態１にかかる電流センサの上面図である。
【図３】実施の形態１にかかる電流センサの使用方法を示す模式図である。
【図４】実施の形態１にかかる電流センサの使用方法を示す模式図である。
【図５】従来技術の電流センサを示す模式図である。
【発明を実施するための形態】
【００１３】
実施の形態１
図１及び図２を参照して実施の形態１にかかる電流センサについて説明する。図１は、実施の形態１にかかる電流センサの斜視図である。図２は、実施の形態１にかかる電流センサの上面図である。なお、図１及び図２では、ＸＹＺ三次元座標を規定した。
【００１４】
図１及び図２に示すように、電流センサ１０は、バスバー１と、センサ素子２とを備える。バスバー１は、導電性を有する材料からなる帯状体である。バスバー１の断面形状は、例えば、縦横比１：１０の矩形である。バスバー１は、一対のスリット１ａを有する。スリット１ａは、センサ素子２の外方へ張り出る弧線上に形成される。このような弧線は、例えば、アーチ状の線や円弧状の線である。スリット１ａは、バスバー１を、スリット１ａ同士の間に配置される内側領域１ｂと、スリット１ａの外側に配置される外側領域１ｃとにわける。センサ素子２は、内側領域１ｂの中央又はその付近に設置され、一対のスリット１ａに挟まれる。この弧線が円弧状である場合、センサ素子２は、この円周の中心に配置されると好ましい。
【００１５】
（使用方法）
次に、図３及び図４を参照して、実施の形態１にかかる電流センサの使用方法について説明する。図３及び図４は、実施の形態１にかかる電流センサの使用方法を示す模式図である。なお、図３及び図４では、ＸＹＺ三次元座標を規定した。
【００１６】
バスバー１に−Ｙ方向に電流を流す。すると、図３に示すように、電流がスリット１ａによって分流し、一方の電流が内側領域１ｂを流れ、他方の電流は、外側領域１ｃを流れる。どちらの電流はセンサ素子２を中心に弧を描くように流れる。ここで、バスバー１が薄い、つまり、バスバー１の断面形状の比が大きいと、電流がセンサ素子２を中心に弧を描くように流れやすくなり、好ましい。
【００１７】
図４に示すように、センサ素子２がＺ軸を中心とした回転方向にずれて、バスバー１に主面上に実装される場合がある。ここで、Ｚ軸は、図４のＸＹ平面に関して垂直であり、紙面奥から手前に向かう方向に延びる仮想軸である。このような場合、バスバー１に電流を流すと、磁束密度は大きく変化しないため、感度の低下が抑制される。したがって、Ｚ軸を中心とした回転方向におけるセンサ素子２の実装位置の許容交差が大きくなり、電流センサ１０は、良好な測定精度を維持し得る。
【００１８】
しかも、電流センサ１０は、上記した電流センサ９０（図５参照。）と比較して、ケースを使用することが無いため、大型化を抑制する。そのため、例えば、三相モータ駆動用インバータ内部のように、多数のバスバーが狭い間隔で配置された場所にも設置することができる。
【００１９】
以上、実施の形態１にかかる電流センサによれば、大型化を抑制することができる。
【００２０】
なお、本発明は上記実施の形態に限られたものではなく、趣旨を逸脱しない範囲で適宜変更することが可能である。
【符号の説明】
【００２１】
１０  電流センサ
１  バスバー                              
１ａ  スリット                            １ｂ  内側領域
１ｃ  外側領域
２  センサ素子
【図１】
2016070904.tif 000003
【図２】
2016070904.tif 000004
【図３】
2016070904.tif 000005
【図４】
2016070904.tif 000006
【図５】
2016070904.tif 000007